(57)【要約】【課題】  設置端子の占有面積が比較的大となることなく、しかも、ノイズ対策、および、各ハウジング部材に生じる静電気を確実に除去するための対策を行うことができること。【解決手段】  接地端子３０の接続部３０Ｅが、カバー部材１２の接続片１２Ｅの先端とベース部材１４の接続片１４Ｐとにより挟持されることにより、カバー部材１２およびベース部材１４が、接地端子３０を介してアースラインに電気的に接続されるもの。【選択図】  図１
2005302531.tif 000002
【特許請求の範囲】
【請求項１】
導電性材料で作られ、第１のＩＣカードが収容されるカード収容部の外郭を形成する第１のハウジング部材と、
導電性材料で作られ、第２のＩＣカードが収容されるカード収容部の外郭を形成する第２のハウジング部材と、
前記第１のハウジング部材および前記第２のハウジング部材を接地させる接地用接続部材とを備え、
前記接地用接続部材が、前記第１のハウジング部材および前記第２のハウジング部材の相互間において、該第１のハウジング部材および該第２のハウジング部材双方に直接的または間接的に電気的に接続される接続部を有することを特徴とするＩＣカード用コネクタの接地装置。
【請求項２】
前記接地用接続部材の接続部が、前記第１のハウジング部材の接続片と前記第２のハウジング部材の接続片とにより挟持されることにより、該第１のハウジング部材および該第２のハウジング部材が該接地用接続部材を介して接地されることを特徴とする請求項１記載のＩＣカード用コネクタの接地装置。
【請求項３】
前記接地用接続部材の接続部が、前記第１のハウジング部材および前記第２のハウジング部材における接合部において少なくとも一方に当接することを特徴とする請求項１記載のＩＣカード用コネクタの接地装置。
【発明の詳細な説明】
【技術分野】
【０００１】
本発明は、複数のＩＣカードを収容するコネクタハウジングを接地することができるＩＣカード用コネクタの接地装置に関する。
【背景技術】
【０００２】
電子機器内に配置されるＩＣカード用コネクタの占有面積を比較的小とすべく、複数のＩＣカードがそれぞれ選択的に着脱可能とされるカード収容部を備えるＩＣカード用コネクタが実用に供されている。そのようなＩＣカード用コネクタにおいては、例えば、特許文献１にも示されるように、階層構造となるように各カード収容部が一体に形成されるものが提案されている。
【０００３】
そのようなＩＣカード用コネクタにおいて、その組立ての容易性が考慮された設計がなされるとき、各カード収容部を覆うコネクタハウジングが、例えば、独立した二つのハウジング部材から構成されることがある。そのような場合においても、ＩＣカード用コネクタにおいて必要とされるノイズ対策、および、各ハウジング部材に生じる静電気を確実に除去するための対策がとられなければならない。
そのような対策としては、例えば、各ハウジング部材に対応した接地端子がそれぞれ、設けられることが考えられる。
【０００４】
【特許文献１】特開２００１−３０７８０１号公報
【発明の開示】
【発明が解決しようとする課題】
【０００５】
しかしながら、電子機器内におけるＩＣカード用コネクタの占有面積も電子機器の小型化に伴い制約されている現状において、上述のように接地端子がコネクタハウジングを構成する各ハウジング部材にそれぞれ設けられる場合、その占有面積が比較的大となり、上述のような階層構造のＩＣカード用コネクタの利点が活かされないこととなる。
【０００６】
以上の問題点を考慮し、本発明は、複数のＩＣカードを収容するコネクタハウジングを接地することができるカード用コネクタの接地装置であって、設置端子の占有面積が比較的大となることなく、しかも、ノイズ対策、および、各ハウジング部材に生じる静電気を確実に除去するための対策を行うことができるカード用コネクタの接地装置を提供することを目的とする。
【課題を解決するための手段】
【０００７】
上述の目的を達成するために、本発明に係るＩＣカード用コネクタの接地装置は、導電性材料で作られ、第１のＩＣカードが収容されるカード収容部の外郭を形成する第１のハウジング部材と、導電性材料で作られ、第２のＩＣカードが収容されるカード収容部の外郭を形成する第２のハウジング部材と、第１のハウジング部材および第２のハウジング部材を接地させる接地用接続部材とを備え、接地用接続部材が、第１のハウジング部材および第２のハウジング部材の相互間において、第１のハウジング部材および第２のハウジング部材双方に直接的または間接的に電気的に接続される接続部を有することを特徴とする。
【発明の効果】
【０００８】
以上の説明から明らかなように、本発明に係るＩＣカード用コネクタの接地装置によれば、接地用接続部材が、第１のハウジング部材および第２のハウジング部材の相互間において、第１のハウジング部材および第２のハウジング部材双方に直接的または間接的に電気的に接続される接続部を有するので接地用接続部材を第１のハウジング部材および第２のハウジング部材ごとに設ける必要がないので設置端子の占有面積が比較的大となることなく、しかも、ノイズ対策、および、各ハウジング部材に生じる静電気を確実に除去するための対策を行うことができる。
【発明を実施するための最良の形態】
【０００９】
図２および図３は、それぞれ、本発明に係るＩＣカード用コネクタの接地装置の一例が適用されたＩＣカード用コネクタの外観を示す。
【００１０】
図２および図３に示されるＩＣカード用コネクタは、所定の電子機器、例えば、携帯電話機、電話機、ＰＤＡ、カメラ等の内部に配される所定のプリント基板上に設けられる。
【００１１】
ＩＣカード用コネクタは、例えば、ＩＣカードとしてのＳＩＭ（subscriber identity module）カード、ＳＤカードの幅よりも小なる最大幅を有する小さなｍｉｎｉＳＤカード（商標）がそれぞれ、１枚ずつ装着可能とされる。ＳＩＭカードおよびｍｉｎｉＳＤカードは、それぞれ、後述されるコンタクト端子群の配列に対応した複数の電極パッドが一方の表面部に形成されている。
【００１２】
ＩＣカード用コネクタは、例えば、図２および図３において矢印Ｙの示す方向に沿ってその収容部１６（図１０参照）に着脱可能に収納されるｍｉｎｉＳＤカード（商標）の電極部、または、図２において矢印Ｘの示す方向に沿ってその収容部１８（図１０参照）に着脱可能に収納されるＳＩＭカードの電極部とプリント基板の接続端子部とを電気的に接続するものとされる。
【００１３】
ＩＣカード用コネクタは、カードに対する電気的接続を行う複数のコンタクト端子群等が配列され、装着された各カードを支持するコネクタ本体部１０と、コネクタ本体部１０と協働して各カードの収容部１６および１８を形成するベース部材１４およびカバー部材１２とを主な要素として含んで構成されている。
【００１４】
第１のハウジング部材としてのカバー部材１２は、導電性材料である薄板金属材料でプレス加工によりその３辺が折り曲げられて作られ、門形の断面形状を有している。
【００１５】
カバー部材１２は、図１０に示されるように、コネクタ本体部１０の凹部１０ｕを覆うことにより収容部１８を形成している。カバー部材１２は、後述するベース部材の爪部に係合される開口１２ａをｍｉｎｉＳＤカード用のカードスロット側の両側面部にそれぞれ複数個、所定の間隔で有している。また、カバー部材１２の３辺のうちの残りの辺には、図４に示されるように、コネクタ本体部１０の他の部分に設けられる爪部に係合される開口１２ｂを複数個有している。カバー部材１２における折り曲げられた端部は、それぞれ、コネクタ本体部１０の端部に係合されている。
【００１６】
第２のハウジング部材としてのベース部材１４は、図５および図１２（Ａ）に示されるように、導電性材料である薄板金属材料でプレス加工によりその３辺が折り曲げられて作られ、門形の断面形状を有している。なお、ベース部材１４は、３辺が折り曲げられているが、斯かる例に限られることなく、２辺が折り曲げられた構成であってもよい。
ベース部材１４における一方の側面部１４Ｒには、所定の相互間隔をもって接続片１４Ｐが２箇所に設けられている。
【００１７】
各接続片１４Ｐは、後述する接地端子３０に電気的に接続されるものである。接続片１４Ｐの外周部とベース部材１４との間には、図１２（Ｂ）に示されるように、隙間ＣＬが形成されている。接続片１４Ｐの一端は、図１２（Ｂ）において矢印Ｚ方向、即ち、側面に対し略直交する方向に弾性変位可能とされる。なお、図１２（Ｂ）は、接続片１４Ｐの一端に何ら負荷（押圧力）が作用していない状態を示している。即ち、接続片１４Ｐの一端に何ら負荷が作用していない場合、接続片１４Ｐの一端が側面よりも外方に向けて若干突出している。
【００１８】
接続片１４Ｐの一端には、接地端子の接続部が当接する突起１４Ｐａが形成されている。突起１４Ｐａは、外方に向けて所定の高さだけ隆起している。
【００１９】
また、接続片１４Ｐの基端は、ベース部材１４に折り曲げられて一体に形成されている。接続片１４Ｐの一端の上方となる位置には、後述する接地端子３０の固定側端部が挿入される開口部１４Ｅが形成されている。その固定側端部に対応した略長方形の形状を有する開口部１４Ｅは、ベース部材１４における隙間ＣＬに連通している。
側面部１４Ｒにおける接続片１４Ｐの相互間の部分には、後述するコネクタ本体部１０の爪部に係合される開口部１４ａが設けられている。
【００２０】
側面部１４Ｒに相対向する側面部１４Ｌには、上述した接地端子とは形式が異なる他の形式の接地端子３２（図５参照）の固定側端部が挿入される開口部（不図示）が形成されている。その開口部に隣接した部分には、接続端子の端部が通過する切欠部１４ｃが形成されている。また、後述するコネクタ本体部１０の爪部に係合される開口部１４ｂが切欠部１４ｃに隣接して設けられている。
【００２１】
ベース部材１４の背面部１４Ｂには、図１２（Ａ）および（Ｃ）に示されるように、接地端子３０の固定側端部が挿入される略長方形のスリット部１４Ｓが形成されている。スリット部１４Ｓにおける周縁部には、接地端子３０に電気的に接続される接続片１４Ｆが形成されている。接続片１４Ｆは、スリット部１４Ｓの周縁の一部を形成するものとされる。
【００２２】
接続片１４Ｆには、図１２（Ｃ）において矢印Ｚ方向、即ち、背面部１４Ｂに対し略直交する方向に弾性変位可能とされる。なお、図１２（Ｃ）は、接続片１４Ｆに何ら負荷（押圧力）が作用していない状態を示している。即ち、接続片１４Ｆの一端に何ら負荷が作用していない場合、接続片１４Ｆの一端が背面部１４Ｂよりも外方に向けて若干突出している。
【００２３】
接続片１４Ｆの中央部には、接地端子３０の接続部が当接する突起１４Ｆａが形成されている。突起１４Ｆａは、外方に向けて所定の高さだけ隆起している。
【００２４】
また、背面部１４Ｂにおけるスリット部１４Ｓに隣接した部分には、コネクタ本体部１０の爪部に係合される開口部１４ｄ、および、開口部１４ｇが設けられている。
【００２５】
さらに、接続片１４Ｆの周囲における底面部には、切欠部１４Ｇが形成されている。
その底面部には、外部と収容部１６の内部とを連通させる複数の孔１４ｈが後述するコンタクト端子に対向して形成されている。
【００２６】
コネクタ本体部１０は、図１０に示されるように、絶縁材料として例えば樹脂材料により一体に成形されている。コネクタ本体部１０の外周部には、図２、図６、図９に示されるように、上述したカバー部材１２およびベース部材１４の開口部にそれぞれ、係合される爪部１０ｎ，１０ｍ，１０ｑ、１０ｒ、および１０ｋが一体に成形されている。
コネクタ本体部１０は、階層を形成するように相対向して凹部１０ｕおよび１０ｄを有している。
【００２７】
従って、カバー部材１２と凹部１０ｕとによって収容部１８が上方に形成されることとなる。また、ベース部材１４と凹部１０ｄとによって収容部１６がその下方に形成されることとなる。
【００２８】
凹部１０ｕおよび１０ｄは、それぞれ、その幅方向の中心軸線が互いに略直交するように延在している。凹部１０ｕおよび１０ｄの幅は、それぞれ、ＳＩＭカードＳＩＭ、ｍｉｎｉＳＤカードＭＳＤ（図１４参照）に対応して設定されている。
【００２９】
凹部１０ｕを形成する内周部には、図１０においてＳＩＭカードＳＩＭの電極部に対応した間隔で紙面に略垂直方向に配列されたコンタクト端子２２ａｉ（ｉ＝１〜ｎ，ｎは正の整数）が設けられている。コンタクト端子２２ａｉの半田付け端子部は、図３および図９に示されるように、接地端子３０の相互間に形成されるカバー部材１２の切欠部を介して外部に突出している。一方、各コンタクト端子の接点部は、図６および図１０に示されるように、凹部１０ｕの底部とカバー部材１２の内周面との間に弾性変位可能に配されている。
【００３０】
凹部１０ｄを形成する内周部には、図７においてｍｉｎｉＳＤカードＭＳＤの電極部に対応した間隔でその幅方向に配列されたコンタクト端子２４ａｉ（ｉ＝１〜ｎ，ｎは正の整数）が設けられている。コンタクト端子２４ａｉの半田付け端子部は、図３および図５に示されるように、ベース部材１４の切欠部を介して外部に突出している。一方、各コンタクト端子の接点部は、図７に示されるように、凹部１０ｄの底部とベース部材１４の内周面との間に弾性変位可能に配されている。
【００３１】
また、コネクタ本体部１０の収容部１６および１８の周囲には、図示が省略されるが、それぞれ、各カードを収容部１６および１８内に保持するとともに、収容された各カードを選択的に外部に向けて排出させるイジェクト機構が設けられている。
【００３２】
従って、ＳＩＭカードＳＩＭおよびｍｉｎｉＳＤカードＭＳＤを装着するにあたっては、図１４に示されるように、ＳＩＭカードＳＩＭおよびｍｉｎｉＳＤカードＭＳＤの電極部側端部が、それぞれ、収容部１６および１８のカードスロットを通じて収容部１６および１８内に挿入された後、さらに押し込まれることにより、そのイジェクト機構により、図１５に示されるように保持されることとなる。
【００３３】
一方、ＳＩＭカードＳＩＭおよびｍｉｎｉＳＤカードＭＳＤを取り外すにあたっては、ＳＩＭカードＳＩＭおよびｍｉｎｉＳＤカードＭＳＤが、それぞれ、図１５において矢印ＸおよびＹに示される方向に沿ってさらに押圧される場合、そのイジェクト機構により、外部に向けて排出されることとなる。
【００３４】
収容部１８の開口端部（カードスロット）の周縁部には、図２および図１４に示されるように、ＳＩＭカードＳＩＭを所定の位置に保持し、かつ、そのカードの不所望な飛び出しを防止するカードストッパ機構２８が設けられている。カードストッパ機構２８は、図１５の矢印の示す方向、即ち、収容部１８の幅方向に沿って移動可能に設けられている。
【００３５】
従って、上述のイジェクト機構により、ＳＩＭカードＳＩＭが収容部１８内に保持された場合、カードストッパ機構２８が挿入されたＳＩＭカードＳＩＭの端部に向けて移動せしめられることにより、カードストッパ機構２８の端部が、図１５に示されるように、ＳＩＭカードＳＩＭの端部に係合されることとなる。これにより、ＳＩＭカードＳＩＭの不所望な飛び出しが防止される。
【００３６】
さらに、本発明に係るＩＣカード用コネクタの接地装置の一例が適用されたＩＣカード用コネクタにおいては、その筐体に生じた静電気を確実に除去するために一つの接地端子３２と、その接地端子３２とは形式の異なる３つの接地端子３０とが設けられている。
【００３７】
導電性金属材料で作られる接地端子３２は、図２に示されるように、収容部１８の開口端部の外周縁におけるカードストッパ機構２８に対向した位置に設けられている。接地端子３２は、ベース部材１４に支持される固定側端部と、ベース部材１４の外面に当接する接続部と、図示が省略されるプリント基板のアースラインに半田付け固定される固定端子部とを含んで構成されている。その固定側端部は、ベース部材１４のスリットを介してコネクタ本体部１０の溝に圧入されている。従って、その接続部がベース部材１４の外面に当接することにより、ベース部材１４に生じた静電気が接地端子３２を通じてプリント基板のアースラインを通じて除去されることとなる。
【００３８】
また、二つの接地端子３０は、図３および図４に示されるように、ベース部材１４の外周部におけるコンタクト端子２２ａｉ群の固定端子部の両端となる位置に配されている。さらに、一つの接地端子３０が、ベース部材１４の外周部におけるコンタクト端子２４ａｉ群の固定端子部の一方の端とカードストッパ機構２８との間に設けられている。
【００３９】
導電性の薄板金属材料で作られている接地端子３０は、図１３に示されるように、図１１に示されるコネクタ本体部１０の内部の溝１０Ｇに圧入される固定側端部３０Ｆと、固定側端部３０Ｆの一端から屈曲されて形成される半田付け固定端子部３０Ｓと、その固定側端部３０Ｆの屈曲部近傍に形成される接続部３０Ｅとを含んでなる。
【００４０】
接地端子３０の固定側端部３０Ｆは、その幅方向の両端部にそれぞれ爪部３０ｎを有している。これにより、固定側端部３０Ｆは、接続片１４Ｐの弾性力に抗して溝１０Ｇに圧入されることによって、その爪部３０ｎが溝１０Ｇの周縁に食い込むので保持されることとなる。このように固定側端部３０Ｆがベース部材１４の開口部１４Ｅを介して溝１０Ｇに圧入されるのでＩＣカード用コネクタに対して例えば落下等による衝撃が作用した場合、接地端子３０が補強金具としても機能し、従って、コネクタ本体部１０の動きが抑制される。
【００４１】
一対のストッパ部３０Ｃは、固定側端部３０Ｆの両端から張り出すように固定側端部３０Ｆと一体に形成されている。一対のストッパ部３０Ｃの相互間には、後述するカバー部材１２の接続片１２Ｅの先端が挿入される開口部３０Ｄが形成されている。一対のストッパ部３０Ｃは、それぞれ、図１に示されるように、ベース部材１４の外周面に当接している。
【００４２】
その開口部３０Ｄ内には、その基端が固定側端部３０Ｆと一体に形成される接続部３０Ｅが、接地端子３０の屈曲部と略平行となるように形成されている。固定側端部３０Ｆが接続片１４Ｐの弾性力に抗して圧入される場合、接続部３０Ｅにおけるベース部材１４に対向する面３０Ｅａは、接続片１４Ｐの突起１４Ｐａに点接触するのでより確実に電気的に接続されることとなる。
【００４３】
なお、図１２（Ｃ）に示されるスリット１４Ｓに対応して設けられる接地端子３０についても、同様であり、従って、接続部３０Ｅにおけるベース部材１４に対向する面３０Ｅａは、その突起１４Ｆａと点接触するのでより確実に電気的に接続されることとなる。
【００４４】
一方、接続部３０Ｅにおける外面３０Ｅｂには、カバー部材１２の接続片１２Ｅの先端部が所定の圧力で当接している。カバー部材１２の接続片１２Ｅの基端は、カバー部材１２と一体に形成されている。
【００４５】
半田付け固定端子部３０Ｓは、図１に示されるように、固定側端部３０Ｃに対し略平行となるように折り曲げられて形成されている。半田付け固定端子部３０Ｓは、プリント基板ＰＢのアースラインに例えば半田Ｓｏで半田付け固定される。
【００４６】
これにより、接地端子を個別にカバー部材１２またはベース部材１４にそれぞれ設けることなく、カバー部材１２またはベース部材１４に生じた静電気等が、接続片１２Ｅおよび接続部３０Ｅ、または、接続片１４Ｐを介してプリント基板ＰＢのアースラインに逃がされることとなる。
【００４７】
なお、上述の例においては、接地端子３０の個数は、３個とされているが、斯かる例に限られることなく、接地端子３０の個数は、３個以上、あるいは、３個未満であってもよい。
【００４８】
図１６（Ａ）〜（Ｄ）は、それぞれ、上述の接地端子３０の配置の他の例および接地端子の変形例を概略的に示す。
上述の例においては接地端子３０の接続部３０Ｅがカバー部材１２の接続片１２Ｅの先端部とベース部材１４の接続片１４Ｐとの間に挟持されているが、その代わりに、図１６（Ａ）に示される例では、カバー部材１２の接続片１２Ｅの端部とベース部材１４の接続片１４Ｐの端部とが互いに直接的に重ねられるもとで、上述の接地端子３０の接続部３０Ｅがカバー部材１２の端部の内面と当接するものである。従って、斯かる例においても、上述の例と同様な作用効果が得られる。
【００４９】
なお、図１６（Ａ）に示される例においては、ベース部材１４の端部がカバー部材１２の端部に対して外側となるように重ねられているが、必ずしもこのようになされる必要がなく、例えば、ベース部材１４の端部がカバー部材１２の端部に対して内側となるように重ねられてもよい。
【００５０】
図１６（Ｂ）に示される例においては、接地端子４０は、上述のコネクタ本体部１０の溝１０Ｇに圧入される固定側端部４０Ｆと、固定側端部４０Ｆの一端側から屈曲されて固定側端部４０Ｆに対し略平行となるように形成されプリント基板のアースラインに半田付け固定される固定端子部４０Ｓと、その屈曲部に連結され折り曲げられて形成される接続部４０Ｅとを含んで構成されている。
【００５１】
固定側端部４０Ｆには、カバー部材１２の接続片１２Ｅの先端が通過する開口部４０Ｄが形成されている。
接続部４０Ｅは、上述の接地端子３０の接続部３０Ｅの折り曲げ方向とは異なり、固定側端部４０Ｆの他端側に向けて折り曲げられている。
斯かる接地端子４０は、その接続部４０Ｅがカバー部材１２の接続片１２Ｅの先端部とベース部材１４の接続片１４Ｐとの間に挟持されるように配置される。従って、斯かる例においても、上述の例と同様な作用効果が得られる。
【００５２】
図１６（Ｃ）に示される例では、カバー部材１２の接続片１２Ｅの端部とベース部材１４の接続片１４Ｐの端部とが互いに直接的に重ねられるもとで、上述の接地端子４０の接続部４０Ｅがベース部材１４の接続片１４Ｐの外面と当接するものである。従って、斯かる例においても、上述の例と同様な作用効果が得られる。
【００５３】
なお、図１６（Ａ）、（Ｃ）および（Ｄ）に示される例においては、ベース部材１４の端部がカバー部材１２の端部に対して外側となるように互いに重ねられているが、必ずしもこのようになされる必要がなく、例えば、ベース部材１４の端部がカバー部材１２の端部に対して内側となるように重ねられ、接地端子４０の接続部４０Ｅがカバー部材１２の接続片１２Ｅに当接するようになされてもよい。
【００５４】
図１６（Ｄ）に示される例では、鉤状の接地端子４４は、屈曲された一端に接続部４４Ｅを有し、他端にプリント基板のアースラインに半田付け固定される固定端子部４４Ｓを有している。斯かる例においては、ベース部材１４’の接続片１４’Ｐには、接地端子４４の接続部４４Ｅが挿入される開口部１４’Ｄが形成されている。
【００５５】
斯かる例においては、カバー部材１２の接続片１２Ｅの端部とベース部材１４’の接続片１４’Ｐの端部とが互いに直接的に重ねられるもとで、接地端子４４の接続部４４Ｅがカバー部材１２の接続片１２Ｅの内面と当接するものである。従って、斯かる例においても、上述の例と同様な作用効果が得られる。
【００５６】
なお、図１６（Ｄ）に示される例においては、ベース部材１４’の端部がカバー部材１２の端部に対して外側となるように重ねられているが、必ずしもこのようになされる必要がなく、例えば、ベース部材１４’の端部がカバー部材１２の端部に対して内側となるように重ねられ、接地端子４４の接続部４４Ｅがベース部材１４’の接続片１４Ｐに当接するようになされてもよい。
【００５７】
なお、図１６（Ａ）〜（Ｄ）に示される例においては、カバー部材の接続片とベース部材の接続片が重ねられているが、斯かる例に限られることなく、互いに突き合わされても良いことは勿論である。
【００５８】
図１７（Ａ）および（Ｂ）は、それぞれ、本発明に係るＩＣカード用コネクタの接地装置の一例における接地端子３２の変形例である接地端子６０を示す。
接地端子６０は、上述のコネクタ本体部１０の内部の溝に圧入される固定側端部６０Ｆと、固定側端部６０Ｆの一端から固定側端部６０Ｆに対し平行となるように屈曲されて形成される半田付け固定端子部６０Ｓと、を含んでなる。
【００５９】
固定側端部６０Ｆは、その幅方向の両端部にそれぞれ爪部６０ｎを有している。これにより、固定側端部６０Ｆは、その溝に圧入されることによって、その爪部６０ｎが溝の周縁に食い込むので保持されることとなる。その際、固定側端部６０Ｆの一端に形成される当接部６０ｔが後述するベース部材１４の開口部１４ｊの外周縁に当接することとなる。これにより、ベース部材１４が配されるプリント基板におけるアースラインとベース部材１４とが電気的に接続されることとなる。
【００６０】
半田付け固定端子部６０Ｓには、スリット６０ａが設けられている。
従って、接地端子６０の構成は、上述の接地端子３２の構成と比較した場合、接続部が無いだけ簡略化され、その結果、接地端子６０の製造が容易となる。
【００６１】
一方、ベース部材１４におけるコネクタ本体部１０に対向する所定位置には、固定側端部６０Ｆに対応した形状を有する開口部１４ｊが形成されている。
【００６２】
これにより、図１７（Ａ）に示されるように、接地端子６０の固定側端部６０Ｆが開口部１４ｊを介してコネクタ本体部１０の内部の溝に圧入され、かつ、半田付け固定端子部６０Ｓが半田付け固定されることによって、接地端子６０がプリント基板に対して固定され、かつ、コネクタ本体部１０もプリント基板に固定されることとなる。
【００６３】
従って、ＩＣカード用コネクタに対して例えば落下等による衝撃が作用した場合、接地端子６０により、コネクタ本体部１０の動きを抑制することができる。
【００６４】
その結果、筐体が、上述の爪部および開口部相互間の係合のみによりカバー部材１２およびベース部材１４がコネクタ本体部１０に一体化されている場合と比べて落下衝撃に対しより耐えられる構造となる。
【００６５】
特に、上述の例のような複合コネクタとなるとシングルタイプコネクタの重量の２倍、３倍となるため落下衝撃に対して不利となる。これにより、従来のようなコネクタ本体部１０の爪部およびカバー部材１２およびベース部材１４の開口部相互間の係合のみの構造が複合コネクタに適用された場合において、万一、落下等による衝撃がＩＣカード用コネクタに作用したとき、その爪部が削れてしまいカバー部材１２が外れる事態が生じる虞がある。しかし、本願発明の一例においては、接地端子６０を備えることにより、このような事態を回避できることとなる。
【図面の簡単な説明】
【００６６】
【図１】本発明に係るＩＣカード用コネクタの接地装置の一例の要部を拡大して部分的に示す斜視図である。
【図２】本発明に係るＩＣカード用コネクタの接地装置の一例が適用されたＩＣカード用コネクタの外観を示す。
【図３】図２に示される例における平面図である。
【図４】図２に示される例において矢印Ａの方向から見た斜視図である。
【図５】図２に示される例における底面図である。
【図６】図２に示される例における側面図である。
【図７】図２に示される例における正面図である。
【図８】図７における接地端子の部分拡大図である。
【図９】図２に示される例における側面図である。
【図１０】図２に示される例における断面図である。
【図１１】図１０における部分拡大断面図である。
【図１２】（Ａ）は、ベース部材を示す斜視図である。（Ｂ）は、（Ａ）における接続片の部分拡大図である。（Ｃ）は、（Ａ）における他の接続片の部分拡大図である。
【図１３】本発明に係るＩＣカード用コネクタの接地装置の一例に用いられる接地端子を拡大して示す斜視図である。
【図１４】図２に示される例において、ＩＣカードがカード収容部に着脱される状態を示す斜視図である。
【図１５】図２に示される例において、ＩＣカードがカード収容部に装着完了された状態を示す斜視図である。
【図１６】（Ａ）乃至（Ｄ）は、それぞれ、接地端子の配置における他の変形例を概略的に示す図である。
【図１７】（Ａ）は、接地端子が隔壁部材に固定された状態を示す斜視図であり、（Ｂ）は、その接地端子が隔壁部材に固定される前の状態を示す斜視図である。
【符号の説明】
【００６７】
１０    コネクタ本体部
１２    カバー部材
１２Ｅ、１４Ｐ、１４Ｆ    接続片
１４    ベース部材
３０    接地端子
３０Ｅ    接続部
【図１】
2005302531.tif 000003
【図２】
2005302531.tif 000004
【図３】
2005302531.tif 000005
【図４】
2005302531.tif 000006
【図５】
2005302531.tif 000007
【図６】
2005302531.tif 000008
【図７】
2005302531.tif 000009
【図８】
2005302531.tif 000010
【図９】
2005302531.tif 000011
【図１０】
2005302531.tif 000012
【図１１】
2005302531.tif 000013
【図１２】
2005302531.tif 000014
【図１３】
2005302531.tif 000015
【図１４】
2005302531.tif 000016
【図１５】
2005302531.tif 000017
【図１６】
2005302531.tif 000018
【図１７】
2005302531.tif 000019